(57)【要約】  本発明は、ネットワークスライスを確立するための方法と管理およびオーケストレーションシステムを開示する。前記方法では、管理およびオーケストレーションシステム（ＭＡＮＯ）確立される第１のスライスネットワークの名前情報を取得するステップと、前記ＭＡＮＯは、前記第１のＮＳに対応する第１の仮想ネットワーク機能記述子（ＶＮＦＤ）情報および前記第１のＶＮＦに対応する第２のＶＮＦＤ情報を取得し、前記ＭＡＮＯは、前記第１のＶＮＦＤ情報および前記第２のＶＮＦＤ情報に基づき、前記第１のスライスネットワークの名前に対応する第１のスライスネットワーク、前記第１のネットワークサービス（ＮＳ）の名前に対応する第１のＮＳ、前記第１のＮＳのサブネット、前記第１のＶＮＦの名前に対応する第１のＶＮＦおよび前記第１のＶＮＦのサブネットを確立し、前記ＭＡＮＯは、前記第１のＮＳのサブネットおよび前記第１のＶＮＦのサブネットの任意の１つ以上のネットワークに少なくとも１つのポートおよび少なくとも１つの仮想ネットワーク機能コンポーネント（ＶＮＦＣ）を確立し、前記少なくとも１つのポートと前記少なくとも１つの仮想ネットワーク機能コンポーネント（ＶＮＦＣ）を１つずつ接続する。
2021520761.tif 000002
【特許請求の範囲】
【請求項１】
管理およびオーケストレーションシステム（ＭＡＮＯ）は、確立される第１のネットワークスライスの名前情報を取得するステップであって、ここで、前記名前情報は、前記第１のネットワークスライスが属するデータセンターネットワークの名前、前記第１のネットワークスライスに含まれる第１のスライスネットワークの名前、前記第１のスライスネットワークに含まれる第１のネットワークサービス（ＮＳ）の名前および前記第１のＮＳに含まれる第１の仮想ネットワーク機能（ＶＮＦ）の名前を含み、前記データセンターネットワークは、事前設定されたプロバイダ（ｐｒｏｖｉｄｅｒ）ネットワークに従って確立される前記取得するステップと、
前記ＭＡＮＯは、前記第１のＮＳに対応する第１の仮想ネットワーク機能記述子（ＶＮＦＤ）情報および前記第１のＶＮＦに対応する第２のＶＮＦＤ情報を取得するステップであって、ここで、前記ＭＡＮＯには、複数の所定のＮＳ、複数の所定のＶＮＦ、前記複数の所定のＮＳのそれぞれに対応するＶＮＦＤ情報および前記複数の所定のＶＮＦのそれぞれに対応するＶＮＦＤ情報が格納され、前記複数の所定のＮＳは前記第１のＮＳを含み、前記複数の所定のＶＮＦは前記第１のＶＮＦを含む前記取得するステップと、
前記ＭＡＮＯは、前記第１のＶＮＦＤ情報および前記第２のＶＮＦＤ情報に基づき、前記第１のスライスネットワークの名前に対応する第１のスライスネットワーク、前記第１のネットワークサービス（ＮＳ）の名前に対応する第１のＮＳ、前記第１のＮＳのサブネット、前記第１のＶＮＦの名前に対応する第１のＶＮＦおよび前記第１のＶＮＦのサブネットを確立するステップと、
前記ＭＡＮＯは、前記第１のＮＳのサブネットおよび前記第１のＶＮＦのサブネットの任意の１つ以上のネットワークに少なくとも１つのポートおよび少なくとも１つの仮想ネットワーク機能コンポーネント（ＶＮＦＣ）を確立し、前記少なくとも１つのポートと前記少なくとも１つの仮想ネットワーク機能コンポーネント（ＶＮＦＣ）を１対１に接続することにより、前記ＶＮＦＣを介して前記第１のスライスネットワークに接続されたクライアントに、ネットワークサービスを提供するステップとを含むことを特徴とするネットワークスライスを確立するための方法。
【請求項２】
前記ＭＡＮＯは、前記第１のＶＮＦＤ情報および前記第２のＶＮＦＤ情報に基づき、前記第１のスライスネットワーク、前記第１のＮＳ、前記第１のＮＳのサブネット、前記第１のＶＮＦおよび前記第１のＶＮＦのサブネットを確立するステップは、
前記ＭＡＮＯは、前記第１のＶＮＦＤ情報および事前設定されたネットワーク設計規則に従って、前記第１のＮＳに含まれる外部ネットワーク、前記第１のＮＳに含まれる外部ネットワークのサブネット、前記第１のＮＳに含まれる内部ネットワークおよび前記第１のＮＳに含まれる内部ネットワークのサブネットを確立するステップと、
前記ＭＡＮＯは、前記第２のＶＮＦＤ情報および前記事前設定されたネットワーク設計規則に従って、前記第１のＶＮＦに含まれる内部ネットワーク、前記第１のＶＮＦに含まれる内部ネットワークのサブネット、前記第１のＶＮＦに含まれる外部ネットワークおよび前記第１のＶＮＦに含まれる外部ネットワークのサブネットを確立するステップとを含み、
前記事前設定されたネットワーク設計規則は、前記第１のスライスネットワークが前記データセンターネットワークを使用して確立される規則と、前記第１のＮＳに含まれる外部ネットワークおよび前記第１のＮＳに含まれる外部ネットワークのサブネットが前記データセンターネットワークおよび前記第１のスライスネットワークのいずれかを使用して確立される規則と、前記第１のＶＮＦに含まれる外部ネットワークおよび前記第１のＶＮＦに含まれる外部ネットワークのサブネットが前記データセンターネットワーク、前記第１のスライスネットワークおよび前記第１のＮＳに含まれる外部ネットワークのいずれかを使用して確立される規則と、前記第１のＮＳに含まれる内部ネットワークおよび前記第１のＮＳに含まれる内部ネットワークのサブネットが第１のｐｒｏｖｉｄｅｒネットワークを使用して確立され、前記第１のＶＮＦに含まれる内部ネットワークおよび前記第１のＶＮＦに含まれる内部ネットワークのサブネットが第２のｐｒｏｖｉｄｅｒネットワークを使用して確立される規則とを含むことを特徴とする請求項１に記載のネットワークスライスを確立するための方法。
【請求項３】
前記ＭＡＮＯは、前記第１のＶＮＦＤ情報および事前設定されたネットワーク設計規則に従って、前記第１のＮＳに含まれる内部ネットワークおよび前記第１のＮＳに含まれる内部ネットワークのサブネットを確立するステップは、
前記ＭＡＮＯは、前記第１のＶＮＦＤ情報から前記第１のＮＳに含まれる内部ネットワークのＮ個の外部接続点および前記複数の外部接続点のそれぞれに必要な帯域幅を取得するステップであって、Ｎは正の整数である前記取得するステップと、
前記ＭＡＮＯは、前記ＭＡＮＯ自体に接続された複数の仮想化インフラストラクチャ管理ＶＩＭのそれぞれの物理ネットワークリソースを取得するステップであって、ここで、前記物理ネットワークリソースは、前記物理ネットワークリソース上に確立されたｐｒｏｖｉｄｅｒネットワークにネットワークサービスを提供するために使用され、前記物理ネットワークリソースは、構成されたＭ個のネットワークインターフェイスカード（ＮＩＣ）と各ＮＩＣの帯域幅を含み、ＭはＮ以上の整数である前記取得するステップと、
前記ＭＡＮＯは、前記Ｎ個の外部接続点の数および前記各外部接続点に必要な帯域幅に基づき、前記複数のＶＩＭから第１のＶＩＭを選択するステップと、
前記ＭＡＮＯは、前記Ｎ個の外部接続点および前記第１のＶＩＭに基づき、前記各外部接続点に対応するｐｒｏｖｉｄｅｒネットワークを確立するステップと、
前記ＭＡＮＯは、前記各外部接続点に対応するｐｒｏｖｉｄｅｒネットワーク上に前記第１のＮＳに含まれる内部ネットワークおよび前記第１のＮＳに含まれる内部ネットワークのサブネットを確立するステップとを含むことを特徴とする請求項2に記載のネットワークスライスを確立するための方法。
【請求項４】
前記ＭＡＮＯは、前記Ｎ個の外部接続点および前記第１のＶＩＭに基づき、前記各外部接続点に対応するｐｒｏｖｉｄｅｒネットワークを確立するステップは、
前記ＭＡＮＯは、前記Ｎ個の外部接続点のそれぞれに必要な帯域幅および前記各ＮＩＣの帯域幅に基づき、Ｎ個のマッピング関係を決定するステップであって、ここで、前記Ｎ個の外部接続点は、前記Ｍ個のＮＩＣのうちのＮ個のＮＩＣと１対１に対応する前記決定するステップと、
前記ＭＡＮＯは、前記Ｎ個のマッピング関係に基づき、Ｎ個のｐｒｏｖｉｄｅｒネットワークを確立するステップであって、ここで、前記Ｎ個のｐｒｏｖｉｄｅｒネットワークのそれぞれの名前は、前記ｐｒｏｖｉｄｅｒネットワークに対応するマッピング関係に含まれる外部接続点のアイデンティティおよびＮＩＣのアイデンティティを含む前記確立するステップと、
前記ＭＡＮＯは、前記Ｎ個のｐｒｏｖｉｄｅｒネットワークのそれぞれにネットワークセグメント番号を割り当てるステップとを含むことを特徴とする請求項3に記載のネットワークスライスを確立するための方法。
【請求項５】
前記ＭＡＮＯが、前記Ｎ個のｐｒｏｖｉｄｅｒネットワークのそれぞれにネットワークセグメント番号を割り当てた後、
前記ＭＡＮＯは、前記第１のＮＳに含まれる内部ネットワークのサブネットの、前記サブネットが属するｐｒｏｖｉｄｅｒネットワークのランキングに基づき、前記サブネットが属するｐｒｏｖｉｄｅｒネットワークのネットワークセグメント番号から前記サブネットにサブネットセグメント番号を割り当てることを特徴とする請求項4に記載のネットワークスライスを確立するための方法。
【請求項６】
確立される第１のネットワークスライスの名前情報を取得するように構成された第１の取得ユニットであって、ここで、前記名前情報は、前記第１のネットワークスライスが属するデータセンターネットワークの名前、前記第１のネットワークスライスに含まれる第１のスライスネットワークの名前、前記第１のスライスネットワークに含まれる第１のネットワークサービス（ＮＳ）の名前および前記第１のＮＳに含まれる第１の仮想ネットワーク機能（ＶＮＦ）の名前を含み、前記データセンターネットワークは、事前設定されたプロバイダ（ｐｒｏｖｉｄｅｒ）ネットワークに従って確立される前記第１の取得ユニットと、
前記第１のＮＳに対応する第１の仮想ネットワーク機能記述子（ＶＮＦＤ）情報および前記第１のＶＮＦに対応する第２のＶＮＦＤ情報を取得するように構成された第２の取得ユニットであって、ここで、前記ＭＡＮＯには、複数の所定のＮＳ、複数の所定のＶＮＦ、前記複数の所定のＮＳのそれぞれに対応するＶＮＦＤ情報および前記複数の所定のＶＮＦのそれぞれに対応するＶＮＦＤ情報が格納され、前記複数の所定のＮＳは前記第１のＮＳを含み、前記複数の所定のＶＮＦは前記第１のＶＮＦを含む前記第２の取得ユニットと、
前記第１のＶＮＦＤ情報及前記第２のＶＮＦＤ情報に基づき、前記第１のスライスネットワークの名前に対応する第１のスライスネットワーク、前記第１のネットワークサービス（ＮＳ）の名前に対応する第１のＮＳ、前記第１のＮＳのサブネット、前記第１のＶＮＦの名前に対応する第１のＶＮＦおよび前記第１のＶＮＦのサブネットを確立するように構成された第１の確立ユニットと、
前記第１のＮＳのサブネットおよび前記第１のＶＮＦのサブネットの任意の１つ以上のネットワーク上に少なくとも１つのポートおよび少なくとも１つの仮想ネットワーク機能コンポーネント（ＶＮＦＣ）を確立し、前記少なくとも１つのポートと前記少なくとも１つの仮想ネットワーク機能コンポーネント（ＶＮＦＣ）を１対１に接続することにより、前記ＶＮＦＣを介して前記第１のスライスネットワークに接続されたクライアントに、ネットワークサービスを提供するように構成された第２の確立ユニットとを含むことを特徴とする管理およびオーケストレーションシステム。
【請求項７】
前記第１の確立ユニットは、
前記第１のＶＮＦＤ情報および事前設定されたネットワーク設計規則に従って、前記第１のＮＳに含まれる外部ネットワーク、前記第１のＮＳに含まれる外部ネットワークのサブネット、前記第１のＮＳに含まれる内部ネットワークおよび前記第１のＮＳに含まれる内部ネットワークのサブネットを確立し、
前記第２のＶＮＦＤ情報および前記事前設定されたネットワーク設計規則に従って、前記第１のＶＮＦに含まれる内部ネットワーク、前記第１のＶＮＦに含まれる内部ネットワークのサブネット、前記第１のＶＮＦに含まれる外部ネットワークおよび前記第１のＶＮＦに含まれる外部ネットワークのサブネットを確立し、
ここで、前記事前設定されたネットワーク設計規則は、前記第１のスライスネットワークが前記データセンターネットワークを使用して確立される規則と、前記第１のＮＳに含まれる外部ネットワークおよび前記第１のＮＳに含まれる外部ネットワークのサブネットが前記データセンターネットワークおよび前記第１のスライスネットワークのいずれかを使用して確立される規則と、前記第１のＶＮＦに含まれる外部ネットワークおよび前記第１のＶＮＦに含まれる外部ネットワークのサブネットが前記データセンターネットワーク、前記第１のスライスネットワークおよび前記第１のＮＳに含まれる外部ネットワークのいずれかを使用して確立される規則と、前記第１のＮＳに含まれる内部ネットワークおよび前記第１のＮＳに含まれる内部ネットワークのサブネットが第１のｐｒｏｖｉｄｅｒネットワークを使用して確立され、前記第１のＶＮＦに含まれる内部ネットワークおよび前記第１のＶＮＦに含まれる内部ネットワークのサブネットが第２のｐｒｏｖｉｄｅｒネットワークを使用して確立される規則とを含むことを特徴とする請求項６に記載の管理およびオーケストレーションシステム。
【請求項８】
前記第１の確立ユニットは、
前記第１のＶＮＦＤ情報から前記第１のＮＳに含まれる内部ネットワークのＮ個の外部接続点および前記複数の外部接続点のそれぞれに必要な帯域幅を取得し、Ｎは正の整数であり、
前記ＭＡＮＯ自体に接続された複数の仮想化インフラストラクチャ管理ＶＩＭのそれぞれの物理ネットワークリソースを取得し、ここで、前記物理ネットワークリソースは、前記物理ネットワークリソース上に確立されたｐｒｏｖｉｄｅｒネットワークにネットワークサービスを提供するために使用され、前記物理ネットワークリソースは、構成されたＭ個のネットワークインターフェイスカード（ＮＩＣ）と各ＮＩＣの帯域幅を含み、ＭはＮ以上の整数であり、
前記Ｎ個の外部接続点の数および前記各外部接続点に必要な帯域幅に基づき、前記複数のＶＩＭから第１のＶＩＭを選択し、
前記Ｎ個の外部接続点および前記第１のＶＩＭに基づき、前記各外部接続点に対応するｐｒｏｖｉｄｅｒネットワークを確立し、
前記各外部接続点に対応するｐｒｏｖｉｄｅｒネットワーク上に前記第１のＮＳに含まれる内部ネットワークおよび前記第１のＮＳに含まれる内部ネットワークのサブネットを確立することを特徴とする請求項７に記載の管理およびオーケストレーションシステム。
【請求項９】
前記第１の確立ユニットは、
前記Ｎ個の外部接続点のそれぞれに必要な帯域幅および前記各ＮＩＣの帯域幅に基づき、Ｎ個のマッピング関係を決定し、ここで、前記Ｎ個の外部接続点は、前記Ｍ個のＮＩＣのうちのＮ個のＮＩＣと１対１に対応し、
前記Ｎ個のマッピング関係に基づき、Ｎ個のｐｒｏｖｉｄｅｒネットワークを確立し、ここで、前記Ｎ個のｐｒｏｖｉｄｅｒネットワークのそれぞれの名前は、前記ｐｒｏｖｉｄｅｒネットワークに対応するマッピング関係に含まれる外部接続点のアイデンティティおよびＮＩＣのアイデンティティを含み、
前記Ｎ個のｐｒｏｖｉｄｅｒネットワークのそれぞれにネットワークセグメント番号を割り当てることを特徴とする請求項８に記載の管理およびオーケストレーションシステム。
【請求項１０】
前記ＭＡＮＯが、前記Ｎ個のｐｒｏｖｉｄｅｒネットワークのそれぞれにネットワークセグメント番号を割り当てた後、前記第１の確立ユニットはさらに、
前記第１のＮＳに含まれる内部ネットワークのサブネットの、前記サブネットが属するｐｒｏｖｉｄｅｒネットワークのランキングに基づき、前記サブネットが属するｐｒｏｖｉｄｅｒネットワークのネットワークセグメント番号から前記サブネットにサブネットセグメント番号を割り当てることを特徴とする請求項９に記載の管理およびオーケストレーションシステム。
【請求項１１】
少なくとも１つのプロセッサ、前記少なくとも１つのプロセッサに通信可能に接続されたメモリおよび通信インターフェースを含み、
ここで、前記メモリは、前記少なくとも１つのプロセッサによって実行される命令を格納し、前記少なくとも１つのプロセッサは、前記メモリに格納された命令を実行することにより、前記通信インターフェースを介して、請求項１から５のいずれか１つの方法を実行することを特徴とするコンピュータデバイス。
【請求項１２】
コンピュータ上で実行されるときに、コンピュータに請求項１から５のいずれか１つの方法を実行させるコンピュータ命令を格納するコンピュータ可読記憶媒体。
【発明の詳細な説明】
【技術分野】
【０００１】
関連出願の相互参照
本出願は、２０１８年６月６日に中国特許局に提出し、出願番号が２０１８１０５７６２５５．０であり、発明名称が「ネットワークスライスを確立するための方法と管理およびオーケストレーションシステム」との中国特許出願を基礎とする優先権を主張し、その開示の総てをここに取り込む。
【０００２】
本発明は、通信技術分野に関し、特にネットワークスライスを確立するための方法と管理およびオーケストレーションシステムに関する。
【背景技術】
【０００３】
広く変化するサービスニーズを満たすために、ネットワークスライス（Ｎｅｔｗｏｒｋ  Ｓｌｉｃｅ）技術が通信システムに適用される。さまざまなアプリケーションのシナリオとニーズに応じて、物理ネットワークは複数の仮想エンドツーエンドネットワークスライスに分割される。各ネットワークスライスは、１つの独立したネットワーク機能または機能の組み合わせのインスタンス化で構成され、機能特性が異なる。これにより、相互に影響を与えることなく、複数のネットワークスライスを介してユーザーにさまざまなサービスを提供することができる。
【０００４】
従来技術では、管理およびオーケストレーション（Ｍａｎａｇｅｍｅｎｔ  ａｎｄ  Ｏｒｃｈｅｓｔｒａｔｉｏｎ，ＭＡＮＯ）システムは、通常、ネットワークスライスの展開に使用される。ネットワークスライスを展開するプロセスは次のとおりである。
【０００５】
第１に、プロバイダ（ｐｒｏｖｉｄｅｒ）ネットワークは、ネットワークスライスの待ち時間および帯域幅要件、ならびにネットワークスライスを確立するネットワーク機能仮想化インフラストラクチャ（Ｎｅｔｗｏｒｋ  Ｆｕｎｃｔｉｏｎｓ  Ｖｉｒｔｕａｌｉｓａｔｉｏｎ  Ｉｎｆｒａｓｔｒｕｃｔｕｒｅ，ＮＦＶＩ）が所有する異なる物理的インターフェース能力および数に基づいて、ネットワークスライスに対して手動で確立される。次に、当該ネットワークスライスの内部情報は、仮想化ネットワーク機能記述子（Ｖｉｒｔｕａｌｉｓｅｄ  Ｎｅｔｗｏｒｋ  Ｆｕｎｃｔｉｏｎ  Ｄｅｓｃｒｉｐｔｏｒ，ＶＮＦＤ）に手動で入力される。たとえば、当該ネットワークスライス内に含まれるさまざまなネットワークサービス（Ｎｅｔｗｏｒｋ  Ｓｅｒｖｉｃｅ，ＮＳ）に関する情報（たとえば、ＮＳは共有サブネットおよび専用サブネットに分割される場合がある）、ネットワークスライス内の仮想化ネットワーク機能（Ｖｉｒｔｕａｌｉｓｅｄ  Ｎｅｔｗｏｒｋ  Ｆｕｎｃｔｉｏｎ，ＶＮＦ）モジュールに関する情報（たとえば、ＶＮＦは仮想ローカルエリアネットワーク（Ｖｉｒｔｕａｌ  Ｌｏｃａｌ  Ａｒｅａ  Ｎｅｔｗｏｒｋ，ＶＬＡＮ）から分離する必要がある場合があり、この時点でプライベートネットワークが確立する必要があり、一方、ＶＬＡＮから分離する必要がない場合があり、この時点では共有ネットワークなどを使用する）、ＶＮＦプライベートネットワークに割り当てられたセグメントＩＤに関する情報、およびこれらのネットワーク上に確立されたサブネット、ポート、仮想化ネットワーク機能コンポーネント（Ｖｉｒｔｕａｌｉｓｅｄ  Ｎｅｔｗｏｒｋ  Ｆｕｎｃｔｉｏｎ  Ｃｏｍｐｏｎｅｎｔ，ＶＮＦＣ）に関する情報などがある。最後に、ＶＮＦＤはＭＡＮＯに渡され、ＭＡＮＯはＶＮＦＤの記述に基づいて機能し、必要なネットワークサービスを確立し、ネットワークスライスを形成する。
【発明の概要】
【発明が解決しようとする課題】
【０００６】
上述のように、従来技術では、ネットワークスライスを確立するときに大量のネットワーク展開情報を手動で決定する必要があり、これは大量の手動作業を必要とし、それによってネットワークスライスの展開の低効率の問題を引き起こす。
【０００７】
本発明は、従来技術におけるネットワークスライスを確立する際の低効率の技術的問題を解決するために、ネットワークスライスを確立するための方法と管理およびオーケストレーションシステムを提供する。
【課題を解決するための手段】
【０００８】
本発明第１の態様は、ネットワークスライスを確立するための方法を提供する。前記方法は、
管理およびオーケストレーションシステム（ＭＡＮＯ）は、確立される第１のネットワークスライスの名前情報を取得するステップであって、ここで、前記名前情報は、前記第１のネットワークスライスが属するデータセンターネットワークの名前、前記第１のネットワークスライスに含まれる第１のスライスネットワークの名前、前記第１のスライスネットワークに含まれる第１のネットワークサービス（ＮＳ）の名前および前記第１のＮＳに含まれる第１の仮想ネットワーク機能（ＶＮＦ）の名前を含み、前記データセンターネットワークは、事前設定されたプロバイダ（ｐｒｏｖｉｄｅｒ）ネットワークに従って確立される前記取得するステップと、
前記ＭＡＮＯは、前記第１のＮＳに対応する第１の仮想ネットワーク機能記述子（ＶＮＦＤ）情報および前記第１のＶＮＦに対応する第２のＶＮＦＤ情報を取得するステップであって、前記ＭＡＮＯには、複数の所定のＮＳ、複数の所定のＶＮＦ、前記複数の所定のＮＳのそれぞれに対応するＶＮＦＤ情報および前記複数の所定のＶＮＦのそれぞれに対応するＶＮＦＤ情報が格納され、前記複数の所定のＮＳは前記第１のＮＳを含み、前記複数の所定のＶＮＦは前記第１のＶＮＦを含む前記取得するステップと、
前記ＭＡＮＯは、前記第１のＶＮＦＤ情報および前記第２のＶＮＦＤ情報に基づき、前記第１のスライスネットワークの名前に対応する第１のスライスネットワーク、前記第１のネットワークサービス（ＮＳ）の名前に対応する第１のＮＳ、前記第１のＮＳのサブネット、前記第１のＶＮＦの名前に対応する第１のＶＮＦおよび前記第１のＶＮＦのサブネットを確立するステップと、
前記ＭＡＮＯは、前記第１のＮＳのサブネットおよび前記第１のＶＮＦのサブネットの任意の１つ以上のネットワークに少なくとも１つのポートおよび少なくとも１つの仮想ネットワーク機能コンポーネント（ＶＮＦＣ）を確立し、前記少なくとも１つのポートと前記少なくとも１つの仮想ネットワーク機能コンポーネント（ＶＮＦＣ）を１対１に接続することにより、前記ＶＮＦＣを介して前記第１のスライスネットワークに接続されたクライアントに、ネットワークサービスを提供する。
【０００９】
可能な実施形態では、前記ＭＡＮＯは、前記第１のＶＮＦＤ情報および前記第２のＶＮＦＤ情報に基づき、前記第１のスライスネットワーク、前記第１のＮＳ、前記第１のＮＳのサブネット、前記第１のＶＮＦおよび前記第１のＶＮＦのサブネットを確立することは、
前記ＭＡＮＯは、前記第１のＶＮＦＤ情報および事前設定されたネットワーク設計規則に従って、前記第１のＮＳに含まれる外部ネットワーク、前記第１のＮＳに含まれる外部ネットワークのサブネット、前記第１のＮＳに含まれる内部ネットワークおよび前記第１のＮＳに含まれる内部ネットワークのサブネットを確立することと、
前記ＭＡＮＯは、前記第２のＶＮＦＤ情報および前記事前設定されたネットワーク設計規則に従って、前記第１のＶＮＦに含まれる内部ネットワーク、前記第１のＶＮＦに含まれる内部ネットワークのサブネット、前記第１のＶＮＦに含まれる外部ネットワークおよび前記第１のＶＮＦに含まれる外部ネットワークのサブネットを確立することとを含み、
ここで、前記事前設定されたネットワーク設計規則は、前記第１のスライスネットワークが前記データセンターネットワークを使用して確立される規則と、前記第１のＮＳに含まれる外部ネットワークおよび前記第１のＮＳに含まれる外部ネットワークのサブネットが前記データセンターネットワークおよび前記第１のスライスネットワークのいずれかを使用して確立される規則と、前記第１のＶＮＦに含まれる外部ネットワークおよび前記第１のＶＮＦに含まれる外部ネットワークのサブネットが前記データセンターネットワーク、前記第１のスライスネットワークおよび前記第１のＮＳに含まれる外部ネットワークのいずれかを使用して確立される規則と、前記第１のＮＳに含まれる内部ネットワークおよび前記第１のＮＳに含まれる内部ネットワークのサブネットが第１のｐｒｏｖｉｄｅｒネットワークを使用して確立される規則と、前記第１のＶＮＦに含まれる内部ネットワークおよび前記第１のＶＮＦに含まれる内部ネットワークのサブネットが第２のｐｒｏｖｉｄｅｒネットワークを使用して確立される規則とを含む。
【００１０】
可能な実施形態では、前記ＭＡＮＯは、前記第１のＶＮＦＤ情報および事前設定されたネットワーク設計規則に従って、前記第１のＮＳに含まれる内部ネットワークおよび前記第１のＮＳに含まれる内部ネットワークのサブネットを確立することは、具体的に、
前記ＭＡＮＯは、前記第１のＶＮＦＤ情報から前記第１のＮＳに含まれる内部ネットワークのＮ個の外部接続点および前記複数の外部接続点のそれぞれに必要な帯域幅を取得し、Ｎは正の整数であり、
前記ＭＡＮＯは、前記ＭＡＮＯ自体に接続された複数の仮想化インフラストラクチャ管理ＶＩＭのそれぞれの物理ネットワークリソースを取得し、ここで、前記物理ネットワークリソースは、前記物理ネットワークリソース上に確立されたｐｒｏｖｉｄｅｒネットワークにネットワークサービスを提供するために使用され、前記物理ネットワークリソースは、構成されたＭ個のネットワークインターフェイスカード（ＮＩＣ）と各ＮＩＣの帯域幅を含み、ＭはＮ以上の整数であり、
前記ＭＡＮＯは、前記Ｎ個の外部接続点の数および前記各外部接続点に必要な帯域幅に基づき、前記複数のＶＩＭから第１のＶＩＭを選択し、
前記ＭＡＮＯは、前記Ｎ個の外部接続点および前記第１のＶＩＭに基づき、前記各外部接続点に対応するｐｒｏｖｉｄｅｒネットワークを確立し、
前記ＭＡＮＯは、前記各外部接続点に対応するｐｒｏｖｉｄｅｒネットワーク上に前記第１のＮＳに含まれる内部ネットワークおよび前記第１のＮＳに含まれる内部ネットワークのサブネットを確立する。
【００１１】
可能な実施形態では、前記ＭＡＮＯは、前記Ｎ個の外部接続点および前記第１のＶＩＭに基づき、前記各外部接続点に対応するｐｒｏｖｉｄｅｒネットワークを確立することは、具体的に、
前記ＭＡＮＯは、前記Ｎ個の外部接続点のそれぞれに必要な帯域幅および前記各ＮＩＣの帯域幅に基づき、Ｎ個のマッピング関係を決定し、ここで、前記Ｎ個の外部接続点は、前記Ｍ個のＮＩＣのうちのＮ個のＮＩＣと１対１に対応し、
前記ＭＡＮＯは、前記Ｎ個のマッピング関係に基づき、Ｎ個のｐｒｏｖｉｄｅｒネットワークを確立し、ここで、前記Ｎ個のｐｒｏｖｉｄｅｒネットワークのそれぞれの名前は、前記ｐｒｏｖｉｄｅｒネットワークに対応するマッピング関係に含まれる外部接続点のアイデンティティおよびＮＩＣのアイデンティティを含み、
前記ＭＡＮＯは、前記Ｎ個のｐｒｏｖｉｄｅｒネットワークのそれぞれにネットワークセグメント番号を割り当てる。
【００１２】
可能な実施形態では、前記ＭＡＮＯが、前記Ｎ個のｐｒｏｖｉｄｅｒネットワークのそれぞれにネットワークセグメント番号を割り当てた後、前記方法は、
前記ＭＡＮＯは、前記第１のＮＳに含まれる内部ネットワークのサブネットの、前記サブネットが属するｐｒｏｖｉｄｅｒネットワークのランキングに基づき、前記サブネットが属するｐｒｏｖｉｄｅｒネットワークのネットワークセグメント番号から前記サブネットにサブネットセグメント番号を割り当てる。
【００１３】
本発明第２のの態様は、管理およびオーケストレーションシステムを提供する。当該システムは、
確立される第１のネットワークスライスの名前情報を取得するように構成された第１の取得ユニットであって、ここで、前記名前情報は、前記第１のネットワークスライスが属するデータセンターネットワークの名前、前記第１のネットワークスライスに含まれる第１のスライスネットワークの名前、前記第１のスライスネットワークに含まれる第１のネットワークサービス（ＮＳ）の名前および前記第１のＮＳに含まれる第１の仮想ネットワーク機能（ＶＮＦ）の名前を含み、前記データセンターネットワークは、事前設定されたプロバイダ（ｐｒｏｖｉｄｅｒ）ネットワークに従って確立される前記第１の取得ユニットと、
前記第１のＮＳに対応する第１の仮想ネットワーク機能記述子（ＶＮＦＤ）情報および前記第１のＶＮＦに対応する第２のＶＮＦＤ情報を取得するように構成された第２の取得ユニットであって、ここで、前記ＭＡＮＯには、複数の所定のＮＳ、複数の所定のＶＮＦ、前記複数の所定のＮＳのそれぞれに対応するＶＮＦＤ情報および前記複数の所定のＶＮＦのそれぞれに対応するＶＮＦＤ情報が格納され、前記複数の所定のＮＳは前記第１のＮＳを含み、前記複数の所定のＶＮＦは前記第１のＶＮＦを含む前記第２の取得ユニットと、
前記第１のＶＮＦＤ情報及前記第２のＶＮＦＤ情報に基づき、前記第１のスライスネットワークの名前に対応する第１のスライスネットワーク、前記第１のネットワークサービス（ＮＳ）の名前に対応する第１のＮＳ、前記第１のＮＳのサブネット、前記第１のＶＮＦの名前に対応する第１のＶＮＦおよび前記第１のＶＮＦのサブネットを確立するように構成された第１の確立ユニットと、
前記第１のＮＳのサブネットおよび前記第１のＶＮＦのサブネットの任意の１つ以上のネットワーク上に少なくとも１つのポートおよび少なくとも１つの仮想ネットワーク機能コンポーネント（ＶＮＦＣ）を確立し、前記少なくとも１つのポートと前記少なくとも１つの仮想ネットワーク機能コンポーネント（ＶＮＦＣ）を１対１に接続することにより、前記ＶＮＦＣを介して前記第１のスライスネットワークに接続されたクライアントに、ネットワークサービスを提供するように構成された第２の確立ユニットとを含む。
【００１４】
可能な実施形態では、前記第１の確立ユニットは具体的に、
前記第１のＶＮＦＤ情報および事前設定されたネットワーク設計規則に従って、前記第１のＮＳに含まれる外部ネットワーク、前記第１のＮＳに含まれる外部ネットワークのサブネット、前記第１のＮＳに含まれる内部ネットワークおよび前記第１のＮＳに含まれる内部ネットワークのサブネットを確立し、
前記第２のＶＮＦＤ情報および前記事前設定されたネットワーク設計規則に従って、前記第１のＶＮＦに含まれる内部ネットワーク、前記第１のＶＮＦに含まれる内部ネットワークのサブネット、前記第１のＶＮＦに含まれる外部ネットワークおよび前記第１のＶＮＦに含まれる外部ネットワークのサブネットを確立し、
ここで、前記事前設定されたネットワーク設計規則は、前記第１のスライスネットワークが前記データセンターネットワークを使用して確立されることと、前記第１のＮＳに含まれる外部ネットワークおよび前記第１のＮＳに含まれる外部ネットワークのサブネットが前記データセンターネットワークおよび前記第１のスライスネットワークのいずれかを使用して確立されることと、前記第１のＶＮＦに含まれる外部ネットワークおよび前記第１のＶＮＦに含まれる外部ネットワークのサブネットが前記データセンターネットワーク、前記第１のスライスネットワークおよび前記第１のＮＳに含まれる外部ネットワークのいずれかを使用して確立されることと、前記第１のＮＳに含まれる内部ネットワークおよび前記第１のＮＳに含まれる内部ネットワークのサブネットが第１のｐｒｏｖｉｄｅｒネットワークを使用して確立され、前記第１のＶＮＦに含まれる内部ネットワークおよび前記第１のＶＮＦに含まれる内部ネットワークのサブネットが第２のｐｒｏｖｉｄｅｒネットワークを使用して確立されることとを含む。
【００１５】
可能な実施形態では、前記第１の確立ユニットは具体的に、
前記第１のＶＮＦＤ情報から前記第１のＮＳに含まれる内部ネットワークのＮ個の外部接続点および前記複数の外部接続点のそれぞれに必要な帯域幅を取得し、Ｎは正の整数であり、
前記ＭＡＮＯ自体に接続された複数の仮想化インフラストラクチャ管理ＶＩＭのそれぞれの物理ネットワークリソースを取得し、ここで、前記物理ネットワークリソースは、前記物理ネットワークリソース上に確立されたｐｒｏｖｉｄｅｒネットワークにネットワークサービスを提供するために使用され、前記物理ネットワークリソースは、構成されたＭ個のネットワークインターフェイスカード（ＮＩＣ）と各ＮＩＣの帯域幅を含み、ＭはＮ以上の整数であり、
前記Ｎ個の外部接続点の数および前記各外部接続点に必要な帯域幅に基づき、前記複数のＶＩＭから第１のＶＩＭを選択し、
前記Ｎ個の外部接続点および前記第１のＶＩＭに基づき、前記各外部接続点に対応するｐｒｏｖｉｄｅｒネットワークを確立し、
前記各外部接続点に対応するｐｒｏｖｉｄｅｒネットワーク上に前記第１のＮＳに含まれる内部ネットワークおよび前記第１のＮＳに含まれる内部ネットワークのサブネットを確立する。
【００１６】
可能な実施形態では、前記第１の確立ユニットは具体的に、
前記Ｎ個の外部接続点のそれぞれに必要な帯域幅および前記各ＮＩＣの帯域幅に基づき、Ｎ個のマッピング関係を決定し、ここで、前記Ｎ個の外部接続点は、前記Ｍ個のＮＩＣのうちのＮ個のＮＩＣと１対１に対応し、
前記Ｎ個のマッピング関係に基づき、Ｎ個のｐｒｏｖｉｄｅｒネットワークを確立し、ここで、前記Ｎ個のｐｒｏｖｉｄｅｒネットワークのそれぞれの名前は、前記ｐｒｏｖｉｄｅｒネットワークに対応するマッピング関係に含まれる外部接続点のアイデンティティおよびＮＩＣのアイデンティティを含み、
前記Ｎ個のｐｒｏｖｉｄｅｒネットワークのそれぞれにネットワークセグメント番号を割り当てる。
【００１７】
可能な実施形態では、前記ＭＡＮＯが、前記Ｎ個のｐｒｏｖｉｄｅｒネットワークのそれぞれにネットワークセグメント番号を割り当てた後、前記第１の確立ユニットはさらに、
前記第１のＮＳに含まれる内部ネットワークのサブネットの、前記サブネットが属するｐｒｏｖｉｄｅｒネットワークのランキングに基づき、前記サブネットが属するｐｒｏｖｉｄｅｒネットワークのネットワークセグメント番号から前記サブネットにサブネットセグメント番号を割り当てる。
【００１８】
本発明の第３の態様は、管理およびオーケストレーションシステムを提供する。前記システムは、プロセッサおよび通信インターフェースを含み、ここで通信インターフェースは、プロセッサの制御下でデータを送受信し、前記管理およびオーケストレーションシステムはメモリをさらに含み、前記メモリに有事前設定されたプログラムが格納され、プロセッサは、メモリ内のプログラムを読み取り、当該プログラムに従って次のプロセスを実行し、
通信インターフェースは、プロセッサの制御下で確立される第１のネットワークスライスの名前情報を取得し、ここで、前記名前情報は、前記第１のネットワークスライスが属するデータセンターネットワークの名前、前記第１のネットワークスライスに含まれる第１のスライスネットワークの名前、前記第１のスライスネットワークに含まれる第１のネットワークサービス（ＮＳ）の名前および前記第１のＮＳに含まれる第１の仮想ネットワーク機能（ＶＮＦ）の名前を含み、前記データセンターネットワークは、事前設定されたプロバイダ（ｐｒｏｖｉｄｅｒ）ネットワークに従って確立され、および、前記第１のＮＳに対応する第１の仮想ネットワーク機能記述子（ＶＮＦＤ）情報と、前記第１のＶＮＦに対応する第２のＶＮＦＤ情報とを取得し、ここで、前記ＭＡＮＯには、複数の所定のＮＳ、複数の所定のＶＮＦ、前記複数の所定のＮＳのそれぞれに対応するＶＮＦＤ情報および前記複数の所定のＶＮＦのそれぞれに対応するＶＮＦＤ情報が格納され、前記複数の所定のＮＳは前記第１のＮＳを含み、前記複数の所定のＶＮＦは前記第１のＶＮＦを含み、
プロセッサは、前記第１のＶＮＦＤ情報及前記第２のＶＮＦＤ情報に基づき、前記第１のスライスネットワークの名前に対応する第１のスライスネットワーク、前記第１のネットワークサービス（ＮＳ）の名前に対応する第１のＮＳ、前記第１のＮＳのサブネット、前記第１のＶＮＦの名前に対応する第１のＶＮＦおよび前記第１のＶＮＦのサブネットを確立し、および、前記第１のＮＳのサブネットおよび前記第１のＶＮＦのサブネットの任意の１つ以上のネットワーク上に少なくとも１つのポートおよび少なくとも１つの仮想ネットワーク機能コンポーネント（ＶＮＦＣ）を確立し、前記少なくとも１つのポートと前記少なくとも１つの仮想ネットワーク機能コンポーネント（ＶＮＦＣ）を１対１に接続することにより、前記ＶＮＦＣを介して前記第１のスライスネットワークに接続されたクライアントに、ネットワークサービスを提供する。
【００１９】
本発明の第４の態様は、コンピュータデバイスを提供する。前記コンピュータデバイスは、少なくとも１つのプロセッサ、前記少なくとも１つのプロセッサに通信可能に接続されたメモリおよび通信インターフェースを含み、
ここで、前記メモリは、前記少なくとも１つのプロセッサによって実行される命令を格納し、前記少なくとも１つのプロセッサは、前記メモリに格納された命令を実行することにより、前記通信インターフェースを介して、第１の態様に係る方法を実行する。
【００２０】
本発明第５の態様は、コンピュータ上で実行されるときに、コンピュータに第１の態様のいずれか１つの方法を実行させるコンピュータ命令を格納するコンピュータ可読記憶媒体を提供する。
【発明の効果】
【００２１】
本発明の実施形態における技術的解決策は、以下の有益な効果を有する。
【００２２】
管理およびオーケストレーションシステム（ＭＡＮＯ）では、ネットワークスライスは、最初に４つのレベルに分割され、それらは、データセンターレベルのネットワーク、スライスレベルのネットワーク、ＮＳレベルのネットワーク、およびＶＮＦレベルのネットワークである。前記データセンターレベルのネットワークは、事前設定されたプロバイダ（ｐｒｏｖｉｄｅｒ）ネットワークに従って確立され、データベースに複数の所定のＮＳ、複数の所定のＶＮＦ、前記複数の所定のＮＳのそれぞれに対応するＶＮＦＤ情報および前記複数の所定のＶＮＦのそれぞれに対応するＶＮＦＤ情報が事前に格納される。技術者がＭＡＮＯを使用してネットワークスライスを確立する必要がある場合、ＭＡＮＯに確立する第１のスライスネットワークの名前情報を入力すると、つまり、確立する第１のスライスネットワークが属するデータセンターネットワークの名前、前記第１のスライスネットワークの名前、前記第１のスライスネットワークに含まれる第１のネットワークサービス（ＮＳ）の名前および前記第１のＮＳに含まれる第１の仮想ネットワーク機能（ＶＮＦ）の名前を入力すると、ＭＡＮＯが確立される第１のスライスネットワークの名前情報を取得した後、データベースから前記第１のＮＳに対応する第１の仮想ネットワーク機能記述子（ＶＮＦＤ）情報および前記第１のＶＮＦに対応する第２のＶＮＦＤ情報を自動的に取得し、前記第１のＶＮＦＤ情報および第２のＶＮＦＤ情報に基づき、データセンターレベルのネットワーク上に確立されるスライスネットワークの名前、スライスネットワークに含まれるＮＳネットワークの数、ＮＳネットワークに含まれるＶＮＦネットワークの数、すべてのネットワーク間の接続関係を決定し、そして自動的に、前記第１のスライスネットワークの名前に対応する第１のスライスネットワーク、前記第１のネットワークサービス（ＮＳ）の名前に対応する第１のＮＳ、前記第１のＮＳのサブネット、前記第１のＶＮＦの名前に対応する第１のＶＮＦおよび前記第１のＶＮＦのサブネットを確立し、および、前記第１のＮＳのサブネットおよび前記第１のＶＮＦのサブネットの任意の１つ以上のネットワーク上に少なくとも１つのポートおよび少なくとも１つの仮想ネットワーク機能コンポーネント（ＶＮＦＣ）を確立し、前記少なくとも１つのポートと前記少なくとも１つの仮想ネットワーク機能コンポーネント（ＶＮＦＣ）を１対１に接続することにより、前記ＶＮＦＣを介して前記第１のスライスネットワークに接続されたクライアントに、ネットワークサービスを提供し、ネットワークスライスの確立プロセスを完了することで、技術者の手作業を減らし、ネットワークスライスの展開効率を向上させ、さらにネットワーク展開のエラー率を低減することができる。
【００２３】
さらに、上記の技術的解決策は、異なる要件を有するネットワークスライスに対して多用途であり、すなわち、様々なネットワークスライスについて、記述データは、上記の方法に従って展開されるテンプレートに対して自動的に入力され得、それにより、ネットワークオーケストレーション実施の複雑さおよび難しさを低減する。
【図面の簡単な説明】
【００２４】
【図１】本発明の実施形態によるネットワークスライスを確立するための方法のフローチャートである。
【図２】本発明の実施形態による４つのレベルネットワークの参照関係の概略図である。
【図３】本発明の実施形態によるネットワーク全体のモデルの概略図である。
【図４】本発明の実施形態による物理ネットワークリソースと接続点との間のマッピング関係の概略図である。
【図５】本発明の実施形態による管理およびオーケストレーションシステムの概略構造図である。
【図６】本発明の実施形態による管理およびオーケストレーションシステムの別の概略構造図である。
【発明を実施するための形態】
【００２５】
本発明は、従来技術におけるネットワークスライスを確立する際の低効率の技術的問題を解決するために、ネットワークスライスを確立するための方法と管理およびオーケストレーションシステムを提供する。
【００２６】
上記の技術的問題を解決するために、本発明の一般的な考え方は以下の通りである。
【００２７】
管理およびオーケストレーションシステム（ＭＡＮＯ）では、ネットワークスライスは、最初に４つのレベルに分割され、それらは、大規模から小規模の順で、データセンターレベルのネットワーク、スライスレベルのネットワーク、ＮＳレベルのネットワーク、およびＶＮＦレベルのネットワークである。前記データセンターレベルのネットワークは、事前設定されたプロバイダ（ｐｒｏｖｉｄｅｒ）ネットワークに従って確立され、データベースに複数の所定のＮＳ、複数の所定のＶＮＦ、前記複数の所定のＮＳのそれぞれに対応するＶＮＦＤ情報および前記複数の所定のＶＮＦのそれぞれに対応するＶＮＦＤ情報が事前に格納される。技術者がＭＡＮＯを使用してネットワークスライスを確立する必要がある場合、ＭＡＮＯに確立する第１のスライスネットワークの名前情報を入力すると、つまり、確立する第１のスライスネットワークが属するデータセンターネットワークの名前、前記第１のスライスネットワークの名前、前記第１のスライスネットワークに含まれる第１のネットワークサービス（ＮＳ）の名前および前記第１のＮＳに含まれる第１の仮想ネットワーク機能（ＶＮＦ）の名前を入力すると、ＭＡＮＯが確立される第１のスライスネットワークの名前情報を取得した後、データベースから前記第１のＮＳに対応する第１の仮想ネットワーク機能記述子（ＶＮＦＤ）情報および前記第１のＶＮＦに対応する第２のＶＮＦＤ情報を自動的に取得し、前記第１のＶＮＦＤ情報および第２のＶＮＦＤ情報に基づき、データセンターレベルのネットワーク上に確立されるスライスネットワークの名前、スライスネットワークに含まれるＮＳネットワークの数、ＮＳネットワークに含まれるＶＮＦネットワークの数、すべてのネットワーク間の接続関係を決定し、そして自動的に、前記第１のスライスネットワークの名前に対応する第１のスライスネットワーク、前記第１のネットワークサービス（ＮＳ）の名前に対応する第１のＮＳ、前記第１のＮＳのサブネット、前記第１のＶＮＦの名前に対応する第１のＶＮＦおよび前記第１のＶＮＦのサブネットを確立し、および前記第１のＮＳのサブネットおよび前記第１のＶＮＦのサブネットの任意の１つ以上のネットワーク上に少なくとも１つのポートおよび少なくとも１つの仮想ネットワーク機能コンポーネント（ＶＮＦＣ）を確立し、前記少なくとも１つのポートと前記少なくとも１つの仮想ネットワーク機能コンポーネント（ＶＮＦＣ）を１対１に接続することにより、前記ＶＮＦＣを介して前記第１のスライスネットワークに接続されたクライアントに、ネットワークサービスを提供し、ネットワークスライスの確立プロセスを完了することで、技術者の手作業を減らし、ネットワークスライスの展開効率を向上させ、さらにネットワーク展開のエラー率を低減することができる。
【００２８】
さらに、上記の技術的解決策は、異なる要件を有するネットワークスライスに対して多用途であり、すなわち、ＶＮＦＤにおいて異なる要件を有するネットワークスライスのために大量のデータを埋める必要がなく、それにより、ネットワークオーケストレーション実施の複雑さおよび難しさを低減する。
【００２９】
上記の技術的解決策をよりよく理解するために、本発明の技術的解決策は、図面および実施形態によって以下に詳細に示され、本発明の実施形態および実施形態の特徴は、本発明の技術的解決策を詳細に説明することを意図しているが、本発明の技術的解決策を限定するものではなく、本発明の実施形態および実施形態の特徴は、衝突することなく互いに組み合わせることができる。
【００３０】
図１は、本発明の一実施形態によるネットワークスライスを確立するための方法のフローチャートである。フローチャートは次のとおりである。
【００３１】
ステップ１０１：  管理およびオーケストレーションシステム（ＭＡＮＯ）は、確立される第１のネットワークスライスの名前情報を取得する。
【００３２】
本発明の実施形態では、前記名前情報は、前記第１のネットワークスライスが属するデータセンターネットワークの名前、前記第１のネットワークスライスに含まれる第１のスライスネットワークの名前、前記第１のスライスネットワークに含まれる第１のネットワークサービス（ＮＳ）の名前および前記第１のＮＳに含まれる第１の仮想ネットワーク機能（ＶＮＦ）の名前を含み、前記データセンターネットワークは、事前設定されたプロバイダ（ｐｒｏｖｉｄｅｒ）ネットワークに従って確立される。
【００３３】
実施プロセスでは、ネットワークスライス全体が、ＭＡＮＯにおいて事前に４つのレベルに分割され、これらは、大規模から小規模へ順次に、データセンターレベルのネットワークおよびそのサブネット、スライスレベルのネットワークとそのサブネット、ＮＳレベルのネットワークとそのサブネット、ＶＮＦレベルのネットワークとそのサブネットである。
【００３４】
図２は、４つのレベルのネットワークの参照関係である。
【００３５】
第１レベルのデータセンターレベルのネットワークは、３つのレベルのオブジェクト、すなわち、スライスレベルのネットワーク、ＮＳレベルのネットワーク、およびＶＮＦレベルのネットワークによって使用され得る。たとえば、スライスレベルネットワークまたはＮＳレベルネットワークまたはＶＮＦレベルネットワークが独自のネットワークを指定していない場合、このネットワークが第１レベルのデータセンターレベルネットワークを使用していることを示している可能性がある。データセンターネットワークのサブネットは、ＶＮＦＣ接続に直接使用できる。
【００３６】
第２レベルのスライスレベルネットワークは、スライス名を使用してテナント用に確立され、スライスに含まれるＮＳレベルネットワークおよびＶＮＦレベルネットワークによって使用され得る。たとえば、スライスレベルのネットワークに含まれる従属オブジェクトは、独自のネットワークを指定しないと、これは、このネットワークがスライスレベルのネットワークを使用していることを示している可能性がある。スライスレベルネットワークのサブネットは、ＶＮＦＣ接続に直接使用できる。
【００３７】
第３レベルのＮＳレベルネットワークは、ＮＳ名を使用してテナント用に確立され、ＮＳに含まれるＶＮＦレベルネットワークによって使用され得る。たとえば、ＶＮＦレベルのネットワークは独自のネットワークを指定しない。これは、このネットワークがＮＳレベルのネットワークを使用していることを示している可能性がある。ＮＳレベルのネットワークのサブネットは、ＶＮＦＣ接続に直接使用できる。
【００３８】
第４レベルのＶＮＦレベルネットワークは、ＶＮＦ名を使用してテナント用に確立され、ＶＮＦレベルネットワークのサブネットは、ＶＮＦレベルネットワークに含まれるＶＮＦＣによって使用される。
【００３９】
ここで、データセンターレベルのネットワークの下のネットワークは、内部ネットワークと外部ネットワークに分割される。たとえば、スライスレベルのネットワークはスライス内部ネットワークとスライス外部ネットワークに分割され、ＮＳレベルのネットワークはＮＳレベルの外部ネットワークとＮＳレベルの内部ネットワークに分割される。
【００４０】
ネットワークの各レベルは、内部ネットワークおよび外部ネットワークに分割される。
【００４１】
上記の複数レベルのネットワークに基づいて、図３を参照すると、ＭＡＮＯにおけるネットワーク全体のモデルは以下の通りである。
【００４２】
１．データセンターレベルのネットワークとそのサブネットは、内部ネットワークと外部ネットワークに分割されていないか、データセンターの内部ネットワークと見なされる。データセンターレベルのネットワークとそのサブネットは、スライスレベルのネットワークのＶＮＦＤテンプレートに記述されており、スライスレベルのネットワークのＶＮＦＤに記述されている外部ネットワークは、スライスの依存対象となるデータセンターレベルのネットワークを指す。複数のスライスレベルネットワークのＶＮＦＤが、依存する同じ名前の外部ネットワークを記述している場合、当該複数のスライスレベルネットワークのＶＮＦＤに記述されている同じ名前の外部ネットワークのすべての属性は一貫している必要がある。同じ名前の外部ネットワークは、データセンターレベルのネットワークとして認識され、共有属性ネットワークとして設計される。そのサブネットは共有サブネットであり、スライスレベルネットワーク内のＶＮＦＣ接続に使用できる。データセンターレベルのネットワークは、特定のプロバイダーネットワークに依存して確立する必要があり、スライス内部ネットワークは、特定のプロバイダーネットワークに依存して確立する必要がある。
【００４３】
２．すべてのレベルのネットワークの外部ネットワークおよび内部ネットワークは、ＶＮＦＣに直接接続することができず、ネットワーク上に１つまたは複数のサブネットを確立し、ＶＮＦＣからポートへの接続のためにサブネット上にポートを確立する必要がある。
【００４４】
３、従属外部ネットワークは、上位ネットワークおよび上位の上位ネットワークを使用することができる。すべての内部ネットワークは非共有ネットワークとして指定されており、部下または部下の部下のみが使用できる。たとえば、ＮＳ外部ネットワークはスライス外部ネットワークを使用する場合がある。上位スライスに外部ネットワークがない場合は、プロバイダーネットワークに基づいてＮＳの外部ネットワークを確立する必要がある。ＮＳ内部ネットワークは、プロバイダーネットワークに依存して確立する必要がある。ＶＮＦ外部ネットワークは、その上位のＮＳ外部ネットワークまたはスライス外部ネットワークを指す場合がある。上位のＮＳもスライスにも外部ネットワークがない場合は、プロバイダーネットワークに基づいてＶＮＦの外部ネットワークを確立する必要がある。ＶＮＦ内部ネットワークは、プロバイダーネットワークに依存して確立する必要がある。ＶＮＦＣは、ネットワークのニーズに応じてデータセンターレベルのネットワークのサブネットに接続できる。また、ＶＮＦＣが属するスライスのサブネット、ＶＮＦＣが属するＮＳのサブネット、およびそれが属するＶＮＦのブネットに接続することもできる。
【００４５】
また、ＭＡＮＯにおける各ネットワーク、サブネット、ポートの命名規則は以下のとおりである。
【００４６】
データセンター（Ｄａｔａ  Ｃｅｎｔｅｒ，ＤＣ）レベルのネットワークは、Ｄｃｎａｍｅ＋＿ｆｏｒ  ＋  ＿スライス名と名付けられ、ここで、１つ以上のスライス名があり得る。スライス内部ネットワークの名前は、スライス名＋＿ｉｎｔｅｒｎａｌ＋＿ｎｅｔである。ＮＳ外部ネットワークの名前は、ＮＳ名＋＿ｅｘｔｅｒｎａｌ＋＿ｎｅｔである。ＮＳ内部ネットワークの名前は、ＮＳ名＋＿ｉｎｔｅｒｎａｌ＋＿ｎｅｔである。ＶＮＦ外部ネットワークの名前は、ＶＮＦ名＋＿ｅｘｔｅｒｎａｌ＋＿ｎｅｔである。ＶＮＦ内部ネットワークの名前は、ＶＮＦ名＋＿  ｉｎｔｅｒｎａｌ  ＋＿ｎｅｔである。各ネットワークのサブネットには、対応するネットワーク名＋＿ｓｕｂｎｅｔという名前が付けられる。Ｐｏｒｔには、対応するサブネット名＋ｖｎｆｃ名＋＿ｐｏｒｔ  ＋  ＿番号という名前が付けられる。もちろん、サブネットのＶＮＦＣに接続ポートが１つしかない場合、ポートには、対応するサブネット名＋ｖｎｆｃ名＋＿ｐｏｒｔという名前を付けることもできる。
【００４７】
ＭＡＮＯは、いくつかの一般的に使用されるネットワーク名前およびＶＮＦＤ情報を事前に格納することができ、例えば、複数のデータセンターレベルのネットワークを事前に格納する。ここで、１つのＤＣ名前は、Ｃｈｉｎａｍｏｂｉｌｅｘｉａｎであり、他の１つのＤＣ名前はＣｈｉｎａｍｏｂｉｌｅｂｅｉｊｉｎｇである。複数のスライスレベルのネットワークを事前に保存する。ここでスライス名は、ＥＭＢＢ（Ｅｎｈａｎｃｅ  Ｍｏｂｉｌｅ  Ｂｒｏａｄｂａｎｄ）である。複数のＮＳネットワークを事前に保存する。ここで、１つのＮＳ名前は、Ｖｅｐｃ（Ｖｉｒｔｕａｌ  Ｅｖｏｌｖｅｄ  Ｐａｃｋｅｔ  Ｃｏｒｅ）でありもう１つのＮＳ名はＶｍｅｃ（Ｖｉｒｔｕａｌ  Ｍａｃｈｉｎｅ  Ｅｄｇｅ  ｃｏｍｐｕｔｉｎｇ，）である。複数のＶＮＦレベルのネットワークを事前に保存する。ここでＶＮＦレベルのネットワークのＶＮＦ名前は、ＡＭＦ（Ａｃｃｅｓｓ  Ｃｏｎｔｒｏｌ  ａｎｄ  Ｍｏｂｉｌｉｔｙ  Ｍａｎａｇｅｍｅｎｔ  Ｆｕｎｃｔｉｏｎ，ＡＭＦ）、ＳＭＦ（Ｓｅｓｓｉｏｎ  Ｍａｎａｇｅｍｅｎｔ  Ｆｕｎｃｔｉｏｎ）、ＵＰＦ（Ｕｓｅｒ  Ｐｌａｎｅ  ｆｕｎｃｔｉｏｎ，）などである。そして、ＭＡＮＯインターフェイスには、これらの事前に保存されたネットワークの名前を表示できる。ＮＳユーザーがネットワークスライスを確立する必要がある場合、選択をクリックすることにより、確立するネットワークスライスのデータセンターレベルのネットワークの名前、スライスネットワークの名前、ＮＳ名前、ＮＶＦ名前を決定することができ、これにより、ＭＡＮＯは、確立される第１のスライスネットワークの名前情報を取得する。
【００４８】
もちろん、ユーザがネットワークスライスを確立する必要があるとき、また、前述の命名方法で、ＭＡＮＯの入力ボックスにすべてのネットワークの名前を直接入力することができる。たとえば、ユーザーはデータセンターレベルのネットワークの名前をＣｈｉｎａｍｏｂｉｌｅｘｉａｎ  ＋＿ｆｏｒ  ＋  ＿ＥＭＢＢ、ＮＳレベルのネットワーク名前をＶｅｐｃ  ＋＿ｉｎｔｅｒｎａｌ＋＿ｎｅｔなどと入力すると、ＭＡＮＯがユーザーの入力に従って確立される第１のネットワークの名前情報を決定する。本発明の実施形態では、ＭＡＮＯが第１のスライスネットワークの名前情報を取得する方法は限定されないことに留意されたい。
【００４９】
ステップ１０１を実行した後、本発明の実施形態における方法は、ステップ１０２を実行し、すなわち、前記ＭＡＮＯは、前記第１のＮＳに対応する第１の仮想ネットワーク機能記述子（ＶＮＦＤ）情報および前記第１のＶＮＦに対応する第２のＶＮＦＤ情報を取得する。
【００５０】
本発明の実施形態では、前記ＭＡＮＯには、複数の所定のＮＳ、複数の所定のＶＮＦ、前記複数の所定のＮＳのそれぞれに対応するＶＮＦＤ情報および前記複数の所定のＶＮＦのそれぞれに対応するＶＮＦＤ情報が格納され、前記複数の所定のＮＳは前記第１のＮＳを含み、前記複数の所定のＶＮＦは前記第１のＶＮＦを含む。
【００５１】
確立される第１のネットワークスライスのネットワークのすべてのレベルの名前を取得した後、ＭＡＮＯは、ＭＡＮＯのデータベースからネットワークのすべてのレベルの名前に対応するＶＮＦＤ情報を取得する。
【００５２】
ステップ１０２の後、本発明の実施形態における方法は、ステップ１０３に進み、すなわち、前記ＭＡＮＯは、前記第１のＶＮＦＤ情報および前記第２のＶＮＦＤ情報に基づき、前記第１のスライスネットワークの名前に対応する第１のスライスネットワーク、前記第１のネットワークサービス（ＮＳ）の名前に対応する第１のＮＳ、前記第１のＮＳのサブネット、前記第１のＶＮＦの名前に対応する第１のＶＮＦおよび前記第１のＶＮＦのサブネットを確立する。
【００５３】
本発明の実施形態では、ステップ１０３の実施は以下の通りである。
【００５４】
前記ＭＡＮＯは、前記第１のＶＮＦＤ情報および事前設定されたネットワーク設計規則に従って、前記第１のＮＳに含まれる外部ネットワーク、前記第１のＮＳに含まれる外部ネットワークのサブネット、前記第１のＮＳに含まれる内部ネットワークおよび前記第１のＮＳに含まれる内部ネットワークのサブネットを確立する。
【００５５】
前記ＭＡＮＯは、前記第２のＶＮＦＤ情報および前記事前設定されたネットワーク設計規則に従って、前記第１のＶＮＦに含まれる内部ネットワーク、前記第１のＶＮＦに含まれる内部ネットワークのサブネット、前記第１のＶＮＦに含まれる外部ネットワークおよび前記第１のＶＮＦに含まれる外部ネットワークのサブネットを確立する。
【００５６】
ここで、前記事前設定されたネットワーク設計規則は、具体的に、前記第１のスライスネットワークが前記データセンターネットワークを使用して確立され、前記第１のＮＳに含まれる外部ネットワークおよび前記第１のＮＳに含まれる外部ネットワークのサブネットが前記データセンターネットワークおよび前記第１のスライスネットワークのいずれかを使用して確立され、前記第１のＶＮＦに含まれる外部ネットワークおよび前記第１のＶＮＦに含まれる外部ネットワークのサブネットが前記データセンターネットワーク、前記第１のスライスネットワークおよび前記第１のＮＳに含まれる外部ネットワークのいずれかを使用して確立され、前記第１のＮＳに含まれる内部ネットワークおよび前記第１のＮＳに含まれる内部ネットワークのサブネットが第１のｐｒｏｖｉｄｅｒネットワークを使用して確立され、前記第１のＶＮＦに含まれる内部ネットワークおよび前記第１のＶＮＦに含まれる内部ネットワークのサブネットが第２のｐｒｏｖｉｄｅｒネットワークを使用して確立される。
【００５７】
上記の例に従って、ネットワークの各レベルの名前に対応するＶＮＦＤ情報を取得した後、ＭＡＮＯは、ＶＮＦＤ情報の記述に従ってネットワークの各レベルを確立する。たとえば、スライスネットワークはデータセンターレベルのネットワークを使用して確立される。まず、Ｃｈｉｎａｍｏｂｉｌｅｘｉａｎ上にＥＭＢＢのスライスネットワークを確立し、次にＥＭＢＢ上にＶｅｐｃおよびＶｍｅｃの外部ネットワークを確立し、次にＶｅｐｃおよびＶｍｅｃの内部ネットワーク、すなわち、ＡＭＦ、ＳＭＦおよびＵＰＦのネットワークを確立する。ＮＳ内部ネットワークはプロバイダーネットワークに基づいて確立する必要があるため、ＮＳ内部ネットワークを確立するプロセスを以下に示す。
【００５８】
本発明の実施形態では、前記ＭＡＮＯが、前記第１のＶＮＦＤ情報および事前設定されたネットワーク設計規則に従って、前記第１のＮＳに含まれる内部ネットワークおよび前記第１のＮＳに含まれる内部ネットワークのサブネットを確立することは、具体的に、
前記ＭＡＮＯは、前記第１のＶＮＦＤ情報から前記第１のＮＳに含まれる内部ネットワークのＮ個の外部接続点および前記複数の外部接続点のそれぞれに必要な帯域幅を取得し、Ｎは正の整数である。
【００５９】
前記ＭＡＮＯは、前記ＭＡＮＯ自体に接続された複数の仮想化インフラストラクチャ管理ＶＩＭのそれぞれの物理ネットワークリソースを取得し、ここで、前記物理ネットワークリソースは、前記物理ネットワークリソース上に確立されたｐｒｏｖｉｄｅｒネットワークにネットワークサービスを提供するために使用され、前記物理ネットワークリソースは、構成されたＭ個のネットワークインターフェイスカード（ＮＩＣ）と各ＮＩＣの帯域幅を含み、ＭはＮ以上の整数である。
【００６０】
前記ＭＡＮＯは、前記Ｎ個の外部接続点の数および前記各外部接続点に必要な帯域幅に基づき、前記複数のＶＩＭから第１のＶＩＭを選択する。
【００６１】
前記ＭＡＮＯは、前記Ｎ個の外部接続点および前記第１のＶＩＭに基づき、前記各外部接続点に対応するｐｒｏｖｉｄｅｒネットワークを確立する。
【００６２】
前記ＭＡＮＯは、前記各外部接続点に対応するｐｒｏｖｉｄｅｒネットワーク上に前記第１のＮＳに含まれる内部ネットワークおよび前記第１のＮＳに含まれる内部ネットワークのサブネットを確立する。
【００６３】
ここで、前記ＭＡＮＯは、前記Ｎ個の外部接続点および前記第１のＶＩＭに基づき、前記各外部接続点に対応するｐｒｏｖｉｄｅｒネットワークを確立することは、具体的に、
前記ＭＡＮＯは、前記Ｎ個の外部接続点のそれぞれに必要な帯域幅および前記各ＮＩＣの帯域幅に基づき、Ｎ個のマッピング関係を決定し、ここで、前記Ｎ個の外部接続点は、前記Ｍ個のＮＩＣのうちのＮ個のＮＩＣと１対１に対応する。
【００６４】
前記ＭＡＮＯは、前記Ｎ個のマッピング関係に基づき、Ｎ個のｐｒｏｖｉｄｅｒネットワークを確立し、ここで、前記Ｎ個のｐｒｏｖｉｄｅｒネットワークのそれぞれの名前は、前記ｐｒｏｖｉｄｅｒネットワークに対応するマッピング関係に含まれる外部接続点のアイデンティティおよびＮＩＣのアイデンティティを含む。
【００６５】
前記ＭＡＮＯは、前記Ｎ個のｐｒｏｖｉｄｅｒネットワークのそれぞれにネットワークセグメント番号を割り当てる。
【００６６】
前記ＭＡＮＯは、前記第１のＮＳに含まれる内部ネットワークのサブネットの、前記サブネットが属するｐｒｏｖｉｄｅｒネットワークのランキングに基づき、前記サブネットが属するｐｒｏｖｉｄｅｒネットワークのネットワークセグメント番号から前記サブネットにサブネットセグメント番号を割り当てる。
【００６７】
実施プロセスにおいて、ＭＡＮＯは、最初に、各ＮＳネットワークのＶＮＦＤから接続点（Ｃｏｎｎｅｃｔｉｏｎ  Ｐｏｉｎｔ，ＣＰ）記述情報を取得する。たとえば、ＮＳネットワークには４つの接続点があり、２つは１０ＧＥネットワークに基づいており、２つはＧＥネットワークに基づいている。次に、ＶＩＭ内の物理ネットワークリソース、構成されたネットワークインターフェイスカード（Ｎｅｔｗｏｒｋ  Ｉｎｔｅｒｆａｃｅ  Ｃａｒｄ，ＮＩＣ）の数、およびＮＩＣ帯域幅は、アクセスされた仮想化インフラストラクチャマネージャー（ＶＩＭ）でリソースを検出することによって取得される。たとえば、ＭＡＮＯに接続されているＶＩＭのリストが呼び出され、各ＶＩＭの物理ネットワークリソースがＶＩＭから取得され、物理リソースの量と能力がＮＳネットワークのリソース要件を満たすＶＩＭが決定される。たとえば、特定のＶＩＭで３つの１０ＧＥインターフェイスが取得され、３つのＧＥインターフェイスがＮＳネットワークのリソース要件を満たす。最後に、物理ネットワークリソースと接続点のマッピングが実行される。図４に示すように、ＣＰ１はＮＩＣ１を使用し、ＣＰ２はＮＩＣ４を使用して接続し、ＣＰ３はＮＩＣ２を使用し、ＣＰ４はＮＩＣ５を使用する。プロバイダーネットワークはマッピング関係に従がって自動的に名前が付けられます。命名規則はｐｒｏｖｉｄｅｒ  ＋  ｎｉｃ名＋  帯域幅である。ＭＡＮＯは、ｏｐｅｎｓｔａｃｋのアプリケーションプログラミングインターフェイス（Ａｐｐｌｉｃａｔｉｏｎ  Ｐｒｏｇｒａｍｍｉｎｇ  Ｉｎｔｅｒｆａｃｅ，  ＡＰＩ）を自動的に呼び出して、対応するプロバイダーネットワーク（それぞれｐｒｏｖｉｄｅｒ−ｎｉｃ１−１０ｇｅ，  ｐｒｏｖｉｄｅｒ−ｎｉｃ２−１０ｇｅ，  ｐｒｏｖｉｄｅｒ−ｎｉｃ４−ｇｅ，  ｐｒｏｖｉｄｅｒ−ｎｉｃ５−ｇｅ）を確立できる。
【００６８】
次に、ＭＡＮＯは、確立されたプロバイダネットワークをセグメント化する。各ネットワークのセグメントＩＤ範囲は１００ＩＤを占めるように計画されている。つまり、各ネットワークは最大１００のサブネットを確立でき、現在知られているすべてのシナリオのニーズを満たすことができる。第１のネットワークはｐｒｏｖｉｄｅｒ−ｎｉｃ１−１０ｇｅに基づいており、セグメントＩＤは１〜１００である。第２のネットワークはｐｒｏｖｉｄｅｒ−ｎｉｃ２−１０ｇｅに基づいており、セグメントＩＤは１０１〜２００で、順番に増加する。当該プロバイダーネットワーク内のサブネットのセグメントＩＤは、ネットワークセグメント範囲から連続して割り当てられる。ここで、第１のネットワークの第１のサブネットのセグメントＩＤは１、第２のネットワークの第１のサブネットのセグメントＩＤは１０１である。第３のネットワークの第１のサブネットのは２０１で、第４のネットワークの第１のサブネットのセグメントＩＤは３０１であり、プロバイダーネットワークの確立が完了する。
【００６９】
このようにして、ＭＡＮＯは、設計された命名規則に従ってプロバイダーネットワークに自動的に名前を付け、プロバイダーネットワークを自動的に確立し、物理ネットワークと論理ネットワークのマッピングを実行し、ネットワークセグメントを分割し、これにより、展開と保守の効率を高め、手動操作によるエラーの可能性を減らす。
【００７０】
ステップ１０３が完了した後、本発明の実施形態における方法は、ステップ１０４に進む、すなわち、前記ＭＡＮＯは、前記第１のＮＳのサブネットおよび前記第１のＶＮＦのサブネットの任意の１つ以上のネットワークに少なくとも１つのポートおよび少なくとも１つの仮想ネットワーク機能コンポーネント（ＶＮＦＣ）を確立し、前記少なくとも１つのポートと前記少なくとも１つの仮想ネットワーク機能コンポーネント（ＶＮＦＣ）を１対１に接続することにより、前記ＶＮＦＣを介して前記第１のスライスネットワークに接続されたクライアントに、ネットワークサービスを提供する。
【００７１】
上記のプロセスを完了した後、ＭＡＮＯは、各ＮＳネットワーク内のＶＮＦレベルネットワークの内部および外部ネットワーク情報を解析し、次いで、命名規則に従って、必要なサブネットおよびサブネット上に確立されるポートに名前を付ける。最後にＶＮＦＤの展開ユニットの要件を解析し、規則に従って展開ユニットの仮想マシンに名前を付けます。これにより、これらの仮想リソースのＤＣ上にインスタンスを確立し、システム全体の展開を完了する。
【００７２】
上記の方法により、技術者の手作業手順を最大限に減らすことができ、ネットワークスライスの開放および展開効率を改善することができ、エラーの発生を減らすことができる。さらに、ネットワークスライスを確立する上記のプロセスは用途が広い。さまざまなネットワークの抽象的な分類とグレーディング、およびモデルと規則の構築により、オーケストレーション中のさまざまなネットワークの実現の複雑さと困難さを軽減できる。
【００７３】
本発明の第２の態様は、管理およびオーケストレーションシステムを提供し、前記管理およびオーケストレーションシステムはＭＡＮＯであり得る。図５は、本発明の一実施形態による管理およびオーケストレーションシステムの概略構造図であり、前記管理およびオーケストレーションシステムは、
確立される第１のネットワークスライスの名前情報を取得するように構成された第１の取得ユニット５０１であって、ここで、前記名前情報は、前記第１のスライスネットワークが属するデータセンターネットワークの名前、前記第１のスライスネットワークの名前、前記第１のスライスネットワークに含まれる第１のネットワークサービス（ＮＳ）の名前および前記第１のＮＳに含まれる第１の仮想ネットワーク機能（ＶＮＦ）の名前を含み、前記データセンターネットワークは、事前設定されたプロバイダ（ｐｒｏｖｉｄｅｒ）ネットワークに従って確立される前記第１の取得ユニット５０１と、
前記第１のＮＳに対応する第１の仮想ネットワーク機能記述子（ＶＮＦＤ）情報と、前記第１のＶＮＦに対応する第２のＶＮＦＤ情報とを取得するように構成された第２の取得ユニット５０２であって、ここで、前記ＭＡＮＯには、複数の所定のＮＳ、複数の所定のＶＮＦ、前記複数の所定のＮＳのそれぞれに対応するＶＮＦＤ情報および前記複数の所定のＶＮＦのそれぞれに対応するＶＮＦＤ情報が格納され、前記複数の所定のＮＳは前記第１のＮＳを含み、前記複数の所定のＶＮＦは前記第１のＶＮＦを含む前記第２の取得ユニット５０２と、
前記第１のＶＮＦＤ情報及前記第２のＶＮＦＤ情報に基づき、前記第１のスライスネットワークの名前に対応する第１のスライスネットワーク、前記第１のネットワークサービス（ＮＳ）の名前に対応する第１のＮＳ、前記第１のＮＳのサブネット、前記第１のＶＮＦの名前に対応する第１のＶＮＦおよび前記第１のＶＮＦのサブネットを確立するように構成された第１の確立ユニット５０３と、
前記第１のＮＳのサブネットおよび前記第１のＶＮＦのサブネットの任意の１つ以上のネットワーク上に少なくとも１つのポートおよび少なくとも１つの仮想ネットワーク機能コンポーネント（ＶＮＦＣ）を確立し、前記少なくとも１つのポートと前記少なくとも１つの仮想ネットワーク機能コンポーネント（ＶＮＦＣ）を１対１に接続することにより、前記ＶＮＦＣを介して前記第１のスライスネットワークに接続されたクライアントに、ネットワークサービスを提供するするように構成された第２の確立ユニット５０４とを含む。
【００７４】
本発明の第２の態様による管理およびオーケストレーションシステムは、本発明の第１の態様で提供されるネットワークスライスを確立するための方法と同じ思想の下で提案されるので、図１から図４の実施形態におけるネットワークスライスを確立するための方法のあらゆる種類の変形および実施形態は、この実施形態の管理およびオーケストレーションシステムにも適用可能である。ネットワークスライスを確立するための方法の前述の詳細な説明を通して、当業者は、この実施形態における管理およびオーケストレーションシステムの実施プロセスを明確に知ることができる。したがって、仕様を簡潔にするために、ここでは詳しく説明しない。
【００７５】
本発明の第３の態様は、管理およびオーケストレーションシステムを提供し、前記管理およびオーケストレーションシステムＭＡＮＯであり得る。図６は、本発明の一実施形態による管理およびオーケストレーションシステムの概略構造図である。図６に示されるように、前記管理およびオーケストレーションシステは、プロセッサ６０１および通信インターフェース６０２を含み、ここで、
通信インターフェース６０２は、プロセッサの制御下で確立される第１のネットワークスライスの名前情報を取得し、ここで、前記名前情報は、前記第１のネットワークスライスが属するデータセンターネットワークの名前、前記第１のネットワークスライスに含まれる第１のスライスネットワークの名前、前記第１のスライスネットワークに含まれる第１のネットワークサービス（ＮＳ）の名前および前記第１のＮＳに含まれる第１の仮想ネットワーク機能（ＶＮＦ）の名前を含み、前記データセンターネットワークは、事前設定されたプロバイダ（ｐｒｏｖｉｄｅｒ）ネットワークに従って確立される。および、前記第１のＮＳに対応する第１の仮想ネットワーク機能記述子（ＶＮＦＤ）情報と、前記第１のＶＮＦに対応する第２のＶＮＦＤ情報とを取得し、ここで、前記ＭＡＮＯには、複数の所定のＮＳ、複数の所定のＶＮＦ、前記複数の所定のＮＳのそれぞれに対応するＶＮＦＤ情報および前記複数の所定のＶＮＦのそれぞれに対応するＶＮＦＤ情報が格納され、前記複数の所定のＮＳは前記第１のＮＳを含み、前記複数の所定のＶＮＦは前記第１のＶＮＦを含む。
【００７６】
プロセッサ６０１は、前記第１のＶＮＦＤ情報及前記第２のＶＮＦＤ情報に基づき、前記第１のスライスネットワークの名前に対応する第１のスライスネットワーク、前記第１のネットワークサービス（ＮＳ）の名前に対応する第１のＮＳ、前記第１のＮＳのサブネット、前記第１のＶＮＦの名前に対応する第１のＶＮＦおよび前記第１のＶＮＦのサブネットを確立する。及び、前記プロセッサ６０１は、前記第１のＮＳのサブネットおよび前記第１のＶＮＦのサブネットの任意の１つ以上のネットワーク上に少なくとも１つのポートおよび少なくとも１つの仮想ネットワーク機能コンポーネント（ＶＮＦＣ）を確立し、前記少なくとも１つのポートと前記少なくとも１つの仮想ネットワーク機能コンポーネント（ＶＮＦＣ）を１対１に接続することにより、前記ＶＮＦＣを介して前記第１のスライスネットワークに接続されたクライアントに、ネットワークサービスを提供する。任意選択で、プロセッサ６０１は、中央プロセッサ、特定用途向け集積回路（ＡＡｐｐｌｉｃａｔｉｏｎ  Ｓｐｅｃｉｆｉｃ  Ｉｎｔｅｇｒａｔｅｄ  Ｃｉｒｃｕｉｔ，ＳＩＣ）、プログラム実行を制御するための１つまたは複数の集積回路、フィールドプログラマブルゲートアレイ（Ｆｉｅｌｄ  Ｐｒｏｇｒａｍｍａｂｌｅ  Ｇａｔｅ  Ａｒｒａｙ，ＦＰＧＡ）を使用して開発されたハードウェア回路、ベースバンドプロセッサであり得る。
【００７７】
任意選択で、プロセッサ６０１は、少なくとも１つの処理コアを含み得る。
【００７８】
任意選択で、電子デバイスは、メモリをさらに含み、メモリは、読み取り専用メモリ（Ｒｅａｄ  Ｏｎｌｙ  Ｍｅｍｏｒｙ，ＲＯＭ）、ランダムアクセスメモリ（Ｒａｎｄｏｍ  Ａｃｃｅｓｓ  Ｍｅｍｏｒｙ，ＲＡＭ）、および磁気ディスクメモリを含み得る。メモリは、実行時にプロセッサ６０１が必要とするデータを格納するように構成される。メモリーの数は１つ以上である。
【００７９】
本発明の第３の態様による管理およびオーケストレーションシステムは、本発明の第１の態様で提供されるネットワークスライスを確立するための方法と同じ思想の下で提案されるので、図１から図４の実施形態におけるネットワークスライスを確立するための方法のあらゆる種類の変形および具体的な実施形態は、この実施形態の管理およびオーケストレーションシステムにも適用可能である。ネットワークスライスを確立するための方法の前述の詳細な説明を通して、当業者は、この実施形態における管理およびオーケストレーションシステムの実施プロセスを明確に知ることができる。したがって、仕様を簡潔にするために、ここでは詳しく説明しない。
【００８０】
本発明の実施形態の第４の態様は、少なくとも１つのプロセッサと、少なくとも１つのプロセッサに通信可能に接続されたメモリおよび通信インターフェースとを含むコンピュータデバイスを提供する。  
ここで、前記メモリは、前記少なくとも１つのプロセッサによって実行される命令を格納し、前記少なくとも１つのプロセッサは、前記メモリに格納された命令を実行し、前記通信インターフェースを使用して、上記ネットワークスライスを確立するための方法を実行する。
【００８１】
本発明の第５の態様は、コンピュータ可読記憶媒体を提供する。コンピュータ可読記憶媒体は、コンピュータ上で実行されるときに、コンピュータにネットワークスライスを確立するための上記の方法を実行させるコンピュータ命令を格納する。
【００８２】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがわかるはずである。さらに、本発明は、一つ或いは複数のコンピュータプログラム製品の形式を採用できる。また、当該製品はコンピュータ使用可能なプログラムコードを含むコンピュータ使用可能な記憶媒体（ディスク記憶装置と光学記憶装置等を含むがそれとは限らない）において実施する。
【００８３】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【００８４】
これらのコンピュータプログラム指令は、又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【００８５】
これらコンピュータプログラム指令はさらに、コンピュータ或いは他のプログラム可能なデータ処理装置設備に実施もできる。コンピュータプログラム指令が実施されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【００８６】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【００８７】
５０１  第１の取得ユニット
５０２  第２の取得ユニット
５０３  第１の確立ユニット
５０４  第２の確立ユニット
６０１  プロセッサ
６０２  通信インターフェース
【図１】
2021520761.tif 000003
【図２】
2021520761.tif 000004
【図３】
2021520761.tif 000005
【図４】
2021520761.tif 000006
【図５】
2021520761.tif 000007
【図６】
2021520761.tif 000008
【国際調査報告】
2021520761.tif 000009
2021520761.tif 000010
2021520761.tif 000011
2021520761.tif 000012